(57)【要約】  基地局は、同報・放送サービスに割り当てられたリソースブロックに同報・放送サービスデータを乗せて複数の端末に送信する。端末は、基地局からの受信信号に含まれている、同報・放送サービスに割り当てられたリソースブロックから同報・放送サービスデータを取り出すと共に、そのリソースブロックの受信品質を測定する。いずれかの端末で、そのリソースブロックの受信品質が低下すると、基地局から、補助データを他のリソースブロックに乗せて送信する。受信品質が低下した端末は、受信信号に含まれている補助データを取り出して同報・放送サービスデータに合成する。
2008090661.tif 000002
【特許請求の範囲】
【請求項１】
下りリンクの無線リソースを分割したリソースブロックを用いて同報・放送サービスのデータ通信を行う移動通信システムであって、
無線の受信信号に含まれている前記リソースブロックの中から同報・放送サービスに割り当てられたリソースブロックを選択し、選択した前記リソースブロックから同報・放送サービスデータを取り出すと共に、選択した前記リソースブロックの受信品質を測定しており、前記受信品質が低下したとき、前記受信信号に含まれている他のリソースブロックから前記同報・放送サービスデータの受信品質を改善するための補助データを取り出して前記同報・放送サービスデータに合成する複数の端末と、
前記同報・放送サービスに割り当てられたリソースブロックを選択し、選択した前記リソースブロックに前記同報・放送サービスデータを乗せて前記複数の端末に無線で送信し、いずれかの端末で、前記同報・放送サービスに割り当てられた前記リソースブロックの受信品質が低下すると、前記補助データを前記他のリソースブロックに乗せて送信する基地局と、を有する移動通信システム。
【請求項２】
前記端末は、前記同報・放送サービスに割り当てられたリソースブロックの前記受信品質が低下すると前記基地局に前記補助データの送信を要求し、
前記基地局は、いずれかの端末から前記補助データの送信を要求されると、前記補助データの送信を要求した該端末での受信品質が良好なリソースブロックを前記補助データの送信に用いる、請求項１に記載の移動通信システム。
【請求項３】
前記端末は、前記リソースブロックの各々の前記受信品質を測定して受信品質情報を前記基地局に定期的に通知しており、
前記基地局は、前記端末から通知された前記受信品質情報を基に前記補助データを送信するか否かを判断する、請求項１に記載の移動通信システム。
【請求項４】
前記下りリンクではＯＦＤＭ通信方式が用いられており、
前記補助データを送信するとき、
前記基地局は、前記同報・放送サービスデータと前記補助データとに対して、それぞれにレートマッチ処理および変調処理を行ってから、前記同報・放送サービスデータと前記補助データとをそれぞれに割り当てられたリソースブロックにマッピングし、マッピングされたデータを一括で逆高速フーリエ変換して送信し、
前記端末は、前記基地局からの前記受信信号を高速フーリエ変換し、得られたデータにマッピングされている前記同報・放送サービスデータと前記補助データとを、それぞれに復調し、レートデマッチ処理した後に合成する、請求項１に記載の移動通信システム。
【請求項５】
複数レベルの端末クラスが規定され、前記複数の端末はいずれかのクラスにそれぞれ属しており、
前記基地局は、前記受信品質の低下した端末の属する端末クラスに基づいて、前記補助データを送信するか否か判定する、請求項１に記載の移動通信システム。
【請求項６】
前記端末クラス毎にポイント値が予め定められており、
前記基地局は、前記受信品質の低下した端末のポイント値を端末クラス毎に積算し、積算したポイント値が所定のポイント閾値を越えると、前記積算したポイント値が前記ポイント閾値を超えた端末クラスの端末のための補助データを送信する、請求項５に記載の移動通信システム。
【請求項７】
前記基地局は、前記下りリンクの無線リソースの空き状況に応じて前記ポイント閾値を適応的に変化させる、請求項６に記載の移動通信システム。
【請求項８】
下りリンクの無線リソースを分割したリソースブロックを同報・放送サービスに用い、
基地局において、同報・放送サービスに割り当てられたリソースブロックに同報・放送サービスデータを乗せて複数の端末に無線で送信し、
前記端末において、前記基地局からの無線の受信信号に含まれている前記リソースブロックの中の、前記同報・放送サービスに割り当てられた前記リソースブロックから前記同報・放送サービスデータを取り出すと共に、選択した前記リソースブロックの受信品質を測定し、
いずれかの端末で、前記同報・放送サービスに割り当てられた前記リソースブロックの受信品質が低下すると、前記基地局から、前記同報・放送サービスデータの受信品質を改善するための補助データを他のリソースブロックに乗せて送信し、
前記受信品質が低下した前記端末において、前記受信信号に含まれている前記他のリソースブロックから前記補助データを取り出して前記同報・放送サービスデータに合成する、移動通信システムに用いられる端末であって、
前記基地局からの無線の受信信号に含まれているリソースブロックの中の、同報・放送サービスに割り当てられたリソースブロックから同報・放送サービスデータを取り出す第１の受信手段と、
前記同報・放送サービスに割り当てられた前記リソースブロックの受信品質を測定する品質判定手段と、
前記品質判定手段で測定された前記受信品質が低下すると、前記受信信号に含まれている他のリソースブロックから前記同報・放送サービスデータの受信品質を改善するための補助データを取り出す第２の受信手段と、
前記第２の受信手段で前記補助データが取り出されると、前記第１の受信手段で取り出された前記同報・放送サービスデータに前記補助データを合成する合成手段と、を有する端末装置。
【請求項９】
下りリンクの無線リソースを分割したリソースブロックを同報・放送サービスに用い、
基地局において、同報・放送サービスに割り当てられたリソースブロックに同報・放送サービスデータを乗せて複数の端末に無線で送信し、
前記端末において、前記基地局からの無線の受信信号に含まれている前記リソースブロックの中の、前記同報・放送サービスに割り当てられた前記リソースブロックから前記同報・放送サービスデータを取り出すと共に、選択した前記リソースブロックの受信品質を測定し、
いずれかの端末で、前記同報・放送サービスに割り当てられた前記リソースブロックの受信品質が低下すると、前記基地局から、前記同報・放送サービスデータの受信品質を改善するための補助データを他のリソースブロックに乗せて送信し、
前記受信品質が低下した前記端末において、前記受信信号に含まれている前記他のリソースブロックから前記補助データを取り出して前記同報・放送サービスデータに合成する、移動通信システムに用いられる基地局であって、
同報・放送サービスに割り当てられているリソースブロックのいずれかの端末での受信品質の低下に基づいて、前記同報・放送サービスデータの受信品質を改善するための前記補助データを送信することを決定する送信判定手段と、
前記同報・放送サービスデータに割り当てられたリソースブロックに前記同報・放送サービスデータを乗せ、前記送信判定手段で前記補助データを送信することが決定された場合には更に、前記補助データに割り当てられたリソースブロックに前記補助データを乗せて、複数の端末に無線で送信するマッピング手段と、を有する基地局。
【請求項１０】
下りリンクの無線リソースを分割したリソースブロックを用いて同報・放送サービスを行う移動通信システムにおけるデータ通信方法であって、
基地局において、同報・放送サービスに割り当てられたリソースブロックに同報・放送サービスデータを乗せて複数の端末に無線で送信し、
前記端末において、前記基地局からの無線の受信信号に含まれている前記リソースブロックの中の、前記同報・放送サービスに割り当てられた前記リソースブロックから前記同報・放送サービスデータを取り出すと共に、選択した前記リソースブロックの受信品質を測定し、
いずれかの端末で、前記同報・放送サービスに割り当てられた前記リソースブロックの受信品質が低下すると、前記基地局から、前記同報・放送サービスデータの受信品質を改善するための補助データを他のリソースブロックに乗せて送信し、
前記受信品質が低下した前記端末において、前記受信信号に含まれている前記他のリソースブロックから前記補助データを取り出して前記同報・放送サービスデータに合成する、データ通信方法。
【発明の詳細な説明】
【技術分野】
【０００１】
本発明は、移動通信システムにおける下りデータ通信に関し、特に、複数の端末に対して同じデータを配信するデータ通信に関する。
【背景技術】
【０００２】
現在、３ＧＰＰでは、３ＧＰＰ−ＬＴＥ（Ｌｏｎｇ  Ｔｅｒｍ  Ｅｖｏｌｕｔｉｏｎ）として次世代移動体通信システムの検討がなされている。３ＧＰＰ−ＬＴＥシステムの下りリンクの通信方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）が使用されることが決定している。【０００３】
ＯＦＤＭではシステム帯域が複数のサブキャリアに分割されており、基地局は各サブキャリアに独立したデータを乗せて端末に送信する。各端末へのサブキャリアの割り当てはサブキャリアを複数束ねた集合体であるリソースブロック単位で行なわれる。【０００４】
基地局が各端末に個別に送信するデータに用いるリソースブロックは端末での受信品質に基づいて決定される。具体的には、端末は基地局から送信されたパイロット系列の受信品質の情報をＣＱＩ（Ｃｈａｎｎｅｌ  Ｑｕａｌｉｔｙ  Ｉｎｄｉｃａｔｏｒ）として基地局に送り返している。端末に個別に送信するデータに用いるリソースブロックはＣＱＩを基に受信品質のよいものが選択される。【０００５】
しかし、３ＧＰＰ−ＬＴＥでは、基地局から複数の端末に同じデータを配信するＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）がある。ＭＢＭＳでは、複数の端末に同じリソースブロックで一斉にデータが配信される。
【発明の開示】
【０００６】
ＭＢＭＳでは複数の端末に同じリソースブロックで一斉にデータが配信されるので、各端末の受信品質に基づいてリソースブロックを選択することができない。下りリンクの受信状況は端末毎に異なるので、ある端末では受信品質がよいが、他のある端末では受信品質が悪いという状態が起りうる。そして、受信品質の悪い端末があったとしてもＭＢＭＳに割り当てられたリソースブロックが使用され続けることとなる。その結果、受信品質の悪い端末では受信品質が悪い状態が続いてしまう。
【０００７】
受信品質の悪い端末をポイントツーポイントの伝送モードにして受信品質を改善するという方法が提案されているが（特開２００６−１３５９５６号公報参照）、リソースの利用効率がよくない。
【０００８】
本発明の一目的は、複数の端末に一斉に同じデータを配信するサービスにおける端末での受信品質を、リソースを効率よく利用しながら改善することのできる移動通信システムおよびデータ通信方法と、その端末および基地局とを提供することである。
【０００９】
上記目的を達成するために、本発明の一態様による移動通信システムは、下りリンクの無線リソースを分割したリソースブロックを用いて同報・放送サービスのデータ通信を行う移動通信システムであって、
無線の受信信号に含まれている前記リソースブロックの中から同報・放送サービスに割り当てられたリソースブロックを選択し、選択した前記リソースブロックから同報・放送サービスデータを取り出すと共に、選択した前記リソースブロックの受信品質を測定しており、前記受信品質が低下したとき、前記受信信号に含まれている他のリソースブロックから前記同報・放送サービスデータの受信品質を改善するための補助データを取り出して前記同報・放送サービスデータに合成する複数の端末と、
前記同報・放送サービスに割り当てられたリソースブロックを選択し、選択した前記リソースブロックに前記同報・放送サービスデータを乗せて前記複数の端末に無線で送信し、いずれかの端末で、前記同報・放送サービスに割り当てられた前記リソースブロックの受信品質が低下すると、前記補助データを前記他のリソースブロックに乗せて送信する基地局と、を有している。
【００１０】
本発明の一態様による端末は、
下りリンクの無線リソースを分割したリソースブロックを同報・放送サービスに用い、
基地局において、同報・放送サービスに割り当てられたリソースブロックに同報・放送サービスデータを乗せて複数の端末に無線で送信し、
前記端末において、前記基地局からの無線の受信信号に含まれている前記リソースブロックの中の、前記同報・放送サービスに割り当てられた前記リソースブロックから前記同報・放送サービスデータを取り出すと共に、選択した前記リソースブロックの受信品質を測定し、
いずれかの端末で、前記同報・放送サービスに割り当てられた前記リソースブロックの受信品質が低下すると、前記基地局から、前記同報・放送サービスデータの受信品質を改善するための補助データを他のリソースブロックに乗せて送信し、
前記受信品質が低下した前記端末において、前記受信信号に含まれている前記他のリソースブロックから前記補助データを取り出して前記同報・放送サービスデータに合成する、移動通信システムに用いられる端末であって、
前記基地局からの無線の受信信号に含まれているリソースブロックの中の、同報・放送サービスに割り当てられたリソースブロックから同報・放送サービスデータを取り出す第１の受信手段と、
前記同報・放送サービスに割り当てられた前記リソースブロックの受信品質を測定する品質判定手段と、
前記品質判定手段で測定された前記受信品質が低下すると、前記受信信号に含まれている他のリソースブロックから前記同報・放送サービスデータの受信品質を改善するための補助データを取り出す第２の受信手段と、
前記第２の受信手段で前記補助データが取り出されると、前記第１の受信手段で取り出された前記同報・放送サービスデータに前記補助データを合成する合成手段と、を有している。
【００１１】
本発明の一態様による基地局は、
下りリンクの無線リソースを分割したリソースブロックを同報・放送サービスに用い、
基地局において、同報・放送サービスに割り当てられたリソースブロックに同報・放送サービスデータを乗せて複数の端末に無線で送信し、
前記端末において、前記基地局からの無線の受信信号に含まれている前記リソースブロックの中の、前記同報・放送サービスに割り当てられた前記リソースブロックから前記同報・放送サービスデータを取り出すと共に、選択した前記リソースブロックの受信品質を測定し、
いずれかの端末で、前記同報・放送サービスに割り当てられた前記リソースブロックの受信品質が低下すると、前記基地局から、前記同報・放送サービスデータの受信品質を改善するための補助データを他のリソースブロックに乗せて送信し、
前記受信品質が低下した前記端末において、前記受信信号に含まれている前記他のリソースブロックから前記補助データを取り出して前記同報・放送サービスデータに合成する、移動通信システムに用いられる基地局であって、
同報・放送サービスに割り当てられているリソースブロックのいずれかの端末での受信品質の低下に基づいて、前記同報・放送サービスデータの受信品質を改善するための前記補助データを送信することを決定する送信判定手段と、
前記同報・放送サービスデータに割り当てられたリソースブロックに前記同報・放送サービスデータを乗せ、前記送信判定手段で前記補助データを送信することが決定された場合には更に、前記補助データに割り当てられたリソースブロックに前記補助データを乗せて、複数の端末に無線で送信するマッピング手段と、を有している。
【００１２】
本発明の一態様によるデータ通信方法は、下りリンクの無線リソースを分割したリソースブロックを用いて同報・放送サービスを行う移動通信システムにおけるデータ通信方法であって、
基地局において、同報・放送サービスに割り当てられたリソースブロックに同報・放送サービスデータを乗せて複数の端末に無線で送信し、
前記端末において、前記基地局からの無線の受信信号に含まれている前記リソースブロックの中の、前記同報・放送サービスに割り当てられた前記リソースブロックから前記同報・放送サービスデータを取り出すと共に、選択した前記リソースブロックの受信品質を測定し、
いずれかの端末で、前記同報・放送サービスに割り当てられた前記リソースブロックの受信品質が低下すると、前記基地局から、前記同報・放送サービスデータの受信品質を改善するための補助データを他のリソースブロックに乗せて送信し、
前記受信品質が低下した前記端末において、前記受信信号に含まれている前記他のリソースブロックから前記補助データを取り出して前記同報・放送サービスデータに合成する。
【図面の簡単な説明】
【００１３】
【図１】本実施形態による３ＧＰＰ−ＬＴＥ移動通信システムの構成を示すブロック図である。
【図２】下りリソースにおけるリソースブロックの構成を示す図である。
【図３】本実施形態による３ＧＰＰ−ＬＴＥ移動通信システムの各装置の構成を示すブロック図である。
【図４】本実施形態による３ＧＰＰ−ＬＴＥ移動通信システムの動作を示すフローチャートである。
【発明を実施するための最良の形態】
【００１４】
本発明の一実施形態について図面を参照して詳細に説明する。【００１５】
図１は、本実施形態による３ＧＰＰ−ＬＴＥ移動通信システムの構成を示すブロック図である。図１を参照すると、３ＧＰＰ−ＬＴＥ移動通信システムは基地局１１と端末１２１〜１２３とを有している。【００１６】
基地局１１は、自身の構成するセル内の端末と無線回線で通信する。ＭＢＭＳでは、複数の端末に対して同一のＭＢＭＳデータを配信する。また、基地局１１は、必要に応じてＭＢＭＳデータの一部を補助データとして端末に送信することもできる。【００１７】
端末１２１〜１２３は、基地局１１のセル内にいるものとし、基地局１１からのＭＢＭＳのデータを受信する。また、端末１２１〜１２３は、必要に応じてＭＢＭＳデータと補助データの両方を基地局１１から受信し、それらを合成することもできる。【００１８】
本システムでは、ＭＢＭＳにおいて、基地局１１は、まずＭＢＭＳに割り当てられたリソースブロックでＭＢＭＳデータを送信する。端末１２１〜１２３はパイロット系列をモニターしてＭＢＭＳのリソースブロックの受信品質を測定しており、受信品質が低下すると基地局１１に補助データの送信を要求する。受信品質は所定の閾値との比較によって低下したか否か判定することができる。例えば、受信電力レベルが閾値を下回ったときに、受信品質が低下したと判断することができる。【００１９】
基地局１１は、いずれかの端末１２から補助データの送信を要求されると、ＭＢＭＳに割り当てられたリソースブロックでＭＢＭＳデータの送信を継続しながら、他のリソースブロックで補助データを送信する。補助データの送信に用いるリソースブロックには、補助データの送信を要求した端末１２において受信品質が良好なリソースブロックを選択するのが好ましい。受信品質が良好か否かは、受信品質と所定の閾値以上であるか否かによって判断することができる。補助データはＭＢＭＳデータの一部のデータである。補助データの送信を要求した端末１２は、ＭＢＭＳデータと補助データの両方を受信してそれらを合成する。【００２０】
図２は、下りリソースにおけるリソースブロックの構成を示す図である。ＭＢＭＳ用のリソースブロックと個別データ用のリソースブロックとの関係の一例を示している。【００２１】
図２を参照すると、システム帯域をサブキャリアに分割し、時間軸をＴＴＩ（Ｔｒａｎｓｍｉｓｓｉｏｎ  Ｔｉｍｉｎｇ  Ｉｎｔｅｒｖａｌ）＝０．５ミリ秒毎に分割した複数のリソースブロックが示されている。データ通信には、このリソースブロック単位でリソースが割り当てられる。【００２２】
リソースブロック１０１は、ＭＢＭＳ用に割り当てられたリソースブロックであり、各端末１２１〜１２３の受信品質によらず、常に同じリソースブロックが使用される。【００２３】
リソースブロック１０２、１０３は、端末１２に個別に送信されるデータに使用されるリソースブロックであり、端末１２から通知されるＣＱＩ情報によって受信品質の良いリソースブロックが選択される。本実施形態では、ＭＢＭＳ用のリソースブロックの受信品質が低い端末１２があると、基地局１１は、その端末１２のためにリソース１０２、１０３の様な個別用のリソースブロックで補助データを送信する。【００２４】
図３は、本実施形態による３ＧＰＰ−ＬＴＥ移動通信システムの各装置の構成を示すブロック図である。図３を参照すると送信機２０と受信機２１とが対向している。送信機２０はＯＦＤＭ通信方式でデータを送信する装置であり、３ＧＰＰ−ＬＴＥ移動通信システムの基地局１１に含まれる。受信機２１はＯＦＤＭ通信方式でデータを受信する装置であり、３ＧＰＰ−ＬＴＥ移動通信システムの端末１２に含まれる。【００２５】
送信機２０は、チャネル符号化部２０１、第１のＨＡＲＱ部２０２、第１の変調部２０３、第２のＨＡＲＱ部２０４、第２の変調部２０５、サブキャリアマッピング部２０６、逆ＦＦＴ部２０７、および送信判定部２０８を有している。【００２６】
チャネル符号化部２０１は、送信すべきデータをチャネル符号化（Ｃｈａｎｎｅｌ  Ｃｏｄｉｎｇ）する。具体的には、チャネル符号化部２０１は符号化率１／３のターボ符号化を行なう。【００２７】
第１、第２のＨＡＲＱ部２０２、２０４は、チャネル符号化部２０１で符号化されたデータに対して、ＨＡＲＱ（Ｈｙｂｒｉｄ  Ａｕｔｏｍａｔｉｃ  Ｒｅｐｅａｔ  Ｒｅｑｕｅｓｔ）の再送処理およびレートマッチ（Ｒａｔｅ  Ｍａｔｃｈ）処理を行なう。レートマッチ処理として具体的には、第１、第２のＨＡＲＱ部２０２、２０４は、符号化されたビットを、割り当てられたリソースブロックに収まるように調整する。調整において、符号化されたデータに対して適宜ｐｕｎｃｔｕｒｅまたはｒｅｐｅｔｉｔｉｏｎが行なわれる。ｐｕｎｃｔｕｒｅは、パリティビットを省略する処理である。ｒｅｐｅｔｉｔｉｏｎは、同じビットを繰り返し出力する処理である。【００２８】
また、第２のＨＡＲＱ部２０４のレートマッチ処理は、ＩＲ（Ｉｎｃｒｅｍｅｎｔａｌ  Ｒｅｄｕｎｄａｎｃｙ）処理により、第１のＨＡＲＱ部２０２のレートマッチ処理で省略（パンクチャ）されたビットをできるだけ含んで出力するような処理をするのが好ましい。【００２９】
第１、第２の変調部２０３、２０５は、第１、第２のＨＡＲＱ部２０２、２０４の出力を変調する。第１、第２の変調部２０３、２０５は、具体的にはＱＰＳＫ、１６ＱＡＭ、６４ＱＡＭのいずれかの変調方式で変調を行う。【００３０】
サブキャリアマッピング部２０６は、第１、第２の変調部２０３、２０５で変調されたデータを、割り当てられたリソースブロックにマッピングする。【００３１】
逆ＦＦＴ部２０７は、サブキャリアマッピング部２０６によって周波数軸上にマッピングされたシンボルデータをＩＦＦＴ（Ｉｎｖｅｒｓｅ  Ｆａｓｔ  Ｆｏｕｒｉｅｒ  Ｔｒａｎｓｆｏｒｍ）により一括して時間軸上のシンボルに変換する。【００３２】
送信判定部２０８は、端末１２から補助データの送信要求があったとき、補助データを実際に送信するか否か判定する。【００３３】
具体的な一例として、端末には加入契約によりランクが高い順にクラスＡ、Ｂ、Ｃという３段階のクラスがあるとする。各クラスを加入料金等で差別化してもよい。クラスＡの端末１２から補助データ送信要求があると、送信判定部２０８は他の端末に個別のデータと同じ優先度（優先度＝普通）で送信のスケジューリングを行なう。また、クラスＢの端末１２から補助データ送信要求があると、送信判定部２０８は他の個別のデータよりも低い優先度（優先度＝低）で送信のスケジューリングを行なう。また、クラスＣの端末から補助データ送信要求があると、送信判定部２０８は補助データの送信を行わない。【００３４】
再び図３を参照すると、受信機２１は、ＦＦＴ部２１１、第１の復調部２１２、第２の復調部２１３、ＨＡＲＱ部２１４、チャネル復号部２１５、および品質判定部２１６を有している。【００３５】
ＦＦＴ部２１１は、送信機２０から受信したサンプルデータをＦＦＴ（Ｆａｓｔ  Ｆｏｕｒｉｅｒ  Ｔｒａｎｓｆｏｒｍ）により周波数軸上のシンボルデータに変換する。【００３６】
第１、第２の復調部２１２、２１３は、ＦＦＴ部２１１から出力されたシンボルデータの中から、割り当てられたリソースブロックのシンボルを取り出して復調し、ビット系列を生成する。第１の復調部２１２はＭＢＭＳデータを復調し、第２の復調部２１３は補助データを復調する。送信機２０からＭＢＭＳデータだけが送信されているときには第１の復調部２１２だけが働き、送信機２０からＭＢＭＳデータおよび補助データが送信されているときには第１の復調部２１２と第２の復調部２１３の両方が働く。【００３７】
ＨＡＲＱ部２１４は、第１の復調部２１２だけが働いているとき、その第１の復調部２１２で生成されたビット系列に対して、ＨＡＲＱの再送要求処理およびレートデマッチ（Ｒａｔｅ  Ｄｅｍａｔｃｈ）処理を行なう。レートデマッチ処理の結果、送信機２０によるレートマッチ処理が行なわれる前のデータが復元される。【００３８】
また、第１、第２の復調部２１２、２１３の両方が働いているとき、ＨＡＲＱ部２１４は、第１の復調部２１２で生成されたビット系列と、第２の復調部２１３で生成されたビット系列の両方に対してレートデマッチ処理をした後にＨＡＲＱバッファ（不図示）で合成することにより、レートマッチ処理前のデータを復元する。【００３９】
チャネル復号部２１５は、ＨＡＲＱ部２１４によって復元されたデータに対してチャネル復号を行なう。【００４０】
品質判定部２１６は、ＭＢＭＳ用のリソースブロックの受信品質を測定しており、受信品質が所定の閾値を下回ると基地局１１に補助データの送信を要求する。【００４１】
図４は、本実施形態による３ＧＰＰ−ＬＴＥ移動通信システムの動作を示すフローチャートである。図４を参照すると、基地局１１から送信されたＭＢＭＳデータを端末１２１〜１２３で受信する（ステップ３１）。続いて、端末１２１〜１２３は基地局１１から送信されているパイロット系列をモニターして受信品質を測定し、ＭＢＭＳデータの送信に使用されているリソースブロックの受信品質に悪化があるか否か判定する（ステップ３３）。そのＭＢＭＳ用のリソースブロックの受信品質が悪化していなければ、ステップ３１に戻って処理を繰り返す。ＭＢＭＳ用のリソースブロックの受信品質が悪化していれば、端末１２は基地局１１に補助データの送信を要求する（ステップ３３）。【００４２】
基地局１１は、いずれかの端末１２から補助データの送信を要求されると、その端末１２のクラスを調べ、クラスに応じて補助データの送信を開始するか否か決定する（ステップ３４）。上述した例では、クラスＡの端末１２から要求があった場合、基地局１１は、“優先度＝普通”で補助データの送信を開始する。また、クラスＢの端末１２から要求があった場合、基地局１１は、“優先度＝低”で補助データの送信を開始する。また、クラスＣの端末から要求があった場合、基地局１１は送信要求を破棄して補助データの送信を開始せず、ステップ３１に戻る。【００４３】
補助データ送信が開始されると、要求をした端末１２はＭＢＭＳデータと補助データの両方を受信し、それらを合成してから復号を行う（ステップ３５）。【００４４】
補助データを要求した端末１２は、ＭＢＭＳ用のリソースブロックの受信品質の改善を監視する（ステップ３６）。受信品質が改善されていなければ、端末１２はステプ３５に戻って処理を繰り返す。受信品質が改善すると、端末１２は基地局１１に対して補助データの送信停止を要求する（ステップ３７）。補助データの送信停止の要求を受けると、基地局１１は補助データの送信を停止する。基地局１１が補助データの送信を停止すると、端末１２はＭＢＭＳデータだけを受信する状態に戻る。【００４５】
以上説明したように本実施形態によれば、ＭＢＭＳにおいて、端末１２１〜１２３は基地局１１からのＭＢＭＳデータの受信品質が低下すると、基地局１１に補助データの送信を要求する。基地局１１は、いずれかの端末１２から補助データの送信を要求されると、ＭＢＭＳ用のリソースブロックでのＭＢＭＳデータの送信を継続しながら、端末１２での受信品質のよいリソースブロックを使用してＭＢＭＳデータの一部を補助データとして送信する。端末１２は、基地局１１からのＭＢＭＳデータと補助データとを合成して復号する。したがって、複数の端末１２１〜１２３に共通のＭＢＭＳ用リソースブロックで一斉に同じデータを配信するＭＢＭＳにおいて、受信品質の低下した端末１２のために基地局１１から補助データを送り、端末１２でＭＢＭＳデータに補助データを合成することにより個別に受信品質を改善することができる。これにより、リソースを効率よく利用しながら各端末１２１〜１２３での受信品質を改善することができる。【００４６】
なお、本実施形態では、ＭＢＭＳ用のリソースブロックが補助データ用のリソースブロックよりも多い場合を例示したが、本発明はこれに限定されるものではない。他の例として、ＭＢＭＳ用のリソースブロックと補助データ用のリソースブロックとがト同数であってもよい。【００４７】
また、本実施形態では、補助データは１つの端末１２に対して送信される例を示したが、本発明はこれに限定されるものではない。他の例として、複数の端末１２に共通で補助データを送信することにしてもよい。具体例としては、同一クラスに属する複数の端末１２に共通で補助データを送信することにしてもよい。【００４８】
また、本実施形態では、補助データの送信を要求した端末１２のクラスに応じて補助データを送信するか否か判定する例を示したが、本発明はこれに限定されるものではない。【００４９】
他の例として、クラスに応じて各端末１２１〜１２３に付与したポイントに基づいて補助データを送信するか否か判定することにしてもよい。その場合、あるクラスに属する端末１２からの補助データの送信要求があると、基地局１１はそのクラスのポイントを積算する。積算したポイントの値が所定の閾値を超えると、基地局１１は補助データの送信を開始する。例えばクラスＡは１０ポイント、クラスＢは５ポイント、クラスＣは１ポイントとし、各クラスの補助データ送信要求を出した端末１２の数と、そのクラスのポイントとの積の合計が閾値を超えたとき補助データの送信を開始すればよい。また、下りリンクのリソースの混雑の度合いによって閾値を適応的に変化させることにしてもよい。これによれば、混雑の度合いに応じて端末の受信品質の改善に使うリソースが変化するので、端末の受信品質を改善する制御により下りリソースの混雑が増大するといった不都合が生じるのを抑制することができる。具体例としては、下りリソースが混雑しているときには、受信品質の低下を判断する閾値を下げることが考えられる。そうすると下りリンクが混雑しているときには補助データの送信が抑制される。【００５０】
また、本実施形態ではチャネル符号化に符号化率１／３のターボ符号を使用する例を示したが、本発明はこれに限定されるものではなく、ＨＡＲＱが可能な符号化方法であればよい。【００５１】
また、本実施形態では、補助データの送信の開始と停止を端末１２が基地局１１に要求する例を示したが、本発明はこれに限定されるものではない。他の例として、基地局１１が、端末１２１〜１２３から定期的に通知されるＣＱＩに基づいて、補助データの送信の開始および停止を決定してもよい。【００５２】
また、本実施形態では、補助データ送信用の第２のＨＡＲＱ部２０４におけるレートマッチ処理においては、ＩＲ処理により、ＭＢＭＳデータのレートマッチ処理でパンクチャされたビットがパンクチャされずに残るようにする例を示した。しかし、本発明はこれに限定されるものではない。他の例として、第２のＨＡＲＱ部２０４におけるレートマッチ処理を、第１のＨＡＲＱ部２０２におけるレートマッチ処理と全く同じパラメータを用いた同じ処理とし、ＭＢＭＳ用のリソースブロックで送信されるビット列と全く同じビット列が補助データ用のリソースブロックで送信されるようにしてもよい。【００５３】
以上、実施形態を参照して本発明を説明したが、本発明は実施形態に限定されるものではない。クレームに定義された本発明の構成や詳細には、発明のスコープ内で当業者が理解し得る様々な変更をすることができる。【００５４】
この出願は、２００７年１月２６日に出願された日本出願特願２００７−１６６４３号を基礎として優先権の利益を主張するものであり、その開示の全てを引用によってここに取り込む。
【図１】
2008090661.tif 000003
【図２】
2008090661.tif 000004
【図３】
2008090661.tif 000005
【図４】
2008090661.tif 000006
【国際調査報告】
2008090661.tif 000007
2008090661.tif 000008
2008090661.tif 000009
2008090661.tif 000010